(57)【要約】【課題】建築物の壁面に取付けられるラップ式タイルの施工効率を向上させる出隅用のラップ式タイル、およびそのタイルを用いた建築物の出隅構造を提供することにある。【解決手段】面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とし、さらに前記側縁部側のタイル側端から、タイル厚さ分の距離のリブ位置に凹部もしくは凸部を設けることとした。【選択図】　図２
2004132135.tif 000002
【特許請求の範囲】
【請求項１】
面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とし、さらに前記側縁部側のタイル側端から、タイル厚さ分の距離のリブ位置に凹部もしくは凸部を設けたことを特徴とする出隅用ラップ式タイル。
【請求項２】
面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とし、さらに前記側縁部側のタイル側端から、前記タイル厚さ分に前記下地材の突起部以外の厚さ分を加えた距離のリブ位置に凹部もしくは凸部が設けられたことを特徴とする出隅用ラップ式タイル。
【請求項３】
面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とし、さらに前記側縁部側のタイル側端から、前記タイル厚さ分の距離のリブ位置、および前記側縁部側のタイル側端からタイル厚さ分に前記下地材の突起部以外の厚さ分を加えた距離のリブ位置の２箇所に前記凹部もしくは凸部が設けられたことを特徴とする出隅用ラップ式タイル。
【請求項４】
面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とした出隅用ラップ式タイルの長さ方向の寸法が、出隅部のもう一方に取り付けられるラップ式タイルの厚さに、ラップ式タイルの長さの２分の１を加えたことを特徴とする出隅用ラップ式タイル。
【請求項５】
面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とした出隅用ラップ式タイルの長さ方向の寸法が、出隅部のもう一方に取り付けられるラップ式タイルの厚さに、ラップ式タイルの長さと、施工時の出隅用ラップ式タイルラップ式タイルの隙間寸法を加えたものの２分の１を加えたことを特徴とする出隅用ラップ式タイル。
【請求項６】
建築物の出隅の構造において、出隅部の一方に取り付けられる、請求項１から５のいずれかに記載の出隅用ラップ式タイルの側縁部を有する側のタイル側端を、出隅部のもう一方に取り付けられるラップ式タイルの表面まで、突出させて取り付け、もう一方のラップ式タイルを取り付けたことを特徴とする建築物の出隅部構造。
【請求項７】
建築物の出隅の構造において、出隅部の一方に取り付けられる、請求項１から５のいずれかに記載の出隅用ラップ式タイルの側縁部を有する側のタイル側端を、出隅部のもう一方に取り付けられるラップ式タイルの表面まで、突出させて取り付け、もう一方のラップ式タイルを出隅用ラップ式タイルとの隙間を設けて取り付けたことを特徴とする建築物の出隅部構造。
【発明の詳細な説明】
【０００１】
【発明の属する技術分野】
本発明は、建築物の外壁を構成するタイルに関するもので、特に上下に配置されたタイルの下端と上端が重なり合う出隅用ラップ式タイルに係り、また該出隅用ラップ式タイルを用いた建築物の出隅部の構造に関する。
【０００２】
【従来の技術】
従来、建築物の壁面に、面板部の上端から背部側に屈曲させたリブを備えると共に、このリブの下方に連ねて係合部を形成し、更に前記面板部の背部の下端には下段配置のタイルのリブを覆うように位置する尾部を備えたプレス成形されたラップ式のタイルが用いられており、その出隅部には、ラップ式タイルを切断加工し、接着加工をした直角状のラップ式タイルが使われている。
【０００３】
また、ラップ式ではないタイルの場合は、タイルを切断加工し、接着加工をした直角状のタイルに加え、裏面に一方の端面から形成する掛止凹溝を製品の厚さ以下の長さを残して、他方の端面の手前で終了させ、該他方の端面を充実面としたタイルにより、出隅を構成することが記載されている。（特許文献１参照）
このタイルを使用した場合、接着加工をした直角状のラップ式タイルに比べ、材料費を抑えることが可能となる。
【０００４】
【特許文献１】
特開平２０００−２７４０５１号
【０００５】
【発明が解決しようとする課題】
このような裏面に一方の端面から形成する掛止凹溝を製品の厚さ以下の長さを残して、他方の端面の手前で終了させ、該他方の端面を充実面としたタイルを施工する場合、出隅部のタイルの設置位置が不明確になりやすいため、設置位置調整に時間がかかってしまい、施工効率が落ちてしまう。また、タイルの寸法調整のため、切断加工を伴う場合は、施工効率が落ちてしまう。
【０００６】
本発明は、上記課題を解決するためになされたもので、本発明の目的は、建築物の壁面に取付けられるラップ式タイルの施工効率を向上させる出隅用のラップ式タイル、およびそのタイルを用いた建築物の出隅構造を提供することにある。
【０００７】
【課題を解決するための手段】
上記目的を達成するために請求項１は、面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とし、さらに前記側縁部側のタイル側端から、タイル厚さ分の距離のリブ位置に凹部もしくは凸部を設けたことを特徴とする。
上記出隅用ラップ式タイルの場合、出隅部施工時の寸法調整が容易となり、施工効率を向上させることができる。
【０００８】
請求項２は、前記凹部もしくは凸部が、前記タイル厚さ分に前記下地材の突起部以外の厚さ分を加えた距離のリブ位置に設けられたことを特徴とする。
上記ラップ式タイルの場合、出隅部施工時の寸法調整が容易となり、施工効率を向上させることができる。
【０００９】
請求項３は、前記凹部もしくは凸部が、前記側縁部を有するタイル側端からタイル厚さ分の距離のリブ位置、および前記側縁部を有するタイル側端からタイル厚さ分に前記下地材の突起部以外の厚さ分を加えた距離のリブ位置の２箇所に設けられたことを特徴とする。
上記ラップ式タイルの場合、出隅部施工時の寸法調整が容易となり、施工効率を向上させることができる。
【００１０】
請求項４は、面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とした出隅用ラップ式タイルの長さ方向の寸法が、出隅部のもう一方に取り付けられるラップ式タイルの厚さに、ラップ式タイルの長さの２分の１を加えたことを特徴とする出隅用ラップ式タイルである。
上記出隅用ラップ式タイルの場合、出隅部のもう一方に取り付けられるラップ式タイルの切断加工をすることなく、寸法調整することが可能となるため、施工効率の向上、および材料の無駄を省くことが可能となる。
【００１１】
請求項５は、面板部の上端から背部側に屈曲させたリブを備えると共に、このリブの下方に連ねて係合部を形成し、更に前記面板部の背部の下端には下段配置のタイルのリブを覆うように位置する尾部を備え、突起部を有した下地材に取付けられるラップ式のタイルであって、前記係合部を該タイルの側端のどちらか一方まで形成し、他端に側縁部を設け、かつ前記側縁部を設けた方の前記リブを欠いた形状とした出隅用ラップ式タイルの長さ方向の寸法が、出隅部のもう一方に取り付けられるラップ式タイルの厚さに、ラップ式タイルの長さと、施工時の出隅用ラップ式タイルとラップ式タイルの隙間寸法を加えたものの２分の１を加えたことを特徴とする出隅用ラップ式タイルである。
上記出隅用ラップ式タイルの場合、出隅部のもう一方に取り付けられるラップ式タイルの切断加工をすることなく、寸法調整することが可能となるため、施工効率の向上、および材料の無駄を省くことが可能となる。
【００１２】
請求項６は、建築物の出隅部分の構造において、出隅部の一方に取り付けられる、請求項１〜５のいずれかに記載の出隅用ラップ式タイルの側縁部を有する側のタイル側端を、出隅部のもう一方に取り付けられるラップ式タイルの表面まで、突出させて取り付け、もう一方のラップ式タイルを取り付けたことを特徴とする。
上記出隅部分の構造とすることにより、出隅部施工時の寸法調整が容易となり、施工効率の向上させることができる。また、出隅部のもう一方に取り付けられるラップ式タイルの切断加工をすることなく、寸法調整することが可能となるため、施工効率の向上、および材料の無駄を省くことが可能となり、さらに、タイル取付け後の仕上がり状態を、良好なものにすることが可能となる。
【００１３】
請求項７は、建築物の出隅部分の構造において、出隅部の一方に取り付けられる、請求項１〜５のいずれかに記載の出隅用ラップ式タイルの側縁部を有する側のタイル側端を、出隅部のもう一方に取り付けられるラップ式タイルの表面まで、突出させて取り付け、もう一方のラップ式タイルを出隅用ラップ式タイルとの隙間を設けて取り付けたことを特徴とする。
上記構造とすることにより、出隅部施工時の寸法調整が容易となり、施工効率の向上させることができる。また、隙間を設けることでラップ式タイルの寸法誤差を調整することが可能となり、さらに、タイル取付け後の仕上がり状態を、良好なものにすることが可能となる。
【００１４】
【発明の実施の形態】
本発明の出隅用ラップ式タイル、およびそれを用いた建築物の出隅部の構成方法を図１〜図６に沿って説明する。
【００１５】
図１は、本発明の出隅用ラップ式タイルを背面側から見た斜視図である。
図において、タイル１は、一様な平坦面として形成される面板部２、面板部の上端縁に沿って形成され裏面側に曲げられたラップ用のリブ３および面板部２の下端側の裏面に尾部４を有している。
また、背面側の左右方向に溝５が形成され、その上部がリブ３に連なる係合部となる。この係合部はタイルの左側端まで形成され、他端の右端部にはタイル側端からタイルの厚さよりも大きくなるような側縁部６を設けられ、かつタイル側部のうち、側縁部６を設けた方のリブを欠いた形状としている。側縁部６を設けた方のリブを欠くことで、上側にくるタイルが被さるようにラップすることが可能となる。欠きの大きさは面板部とリブとの段差程度が好ましい。
【００１６】
図２は、出隅用ラップ式タイル１、およびラップ式タイル７を用いた建築物の出隅部の構成方法を示す斜視図であり、図３は、出隅用ラップ式タイル１、およびラップ式タイル７を用いた建築物の出隅部の構成方法を示す断面図である。
【００１７】
図において、出隅部の一方に取り付けられる、出隅用ラップ式タイルの側縁部を有する側のタイル側端を、出隅部のもう一方に取り付けられるラップ式タイルの表面まで、突出させて取り付け、もう一方のラップ式タイルを出隅用ラップ式タイルとの隙間を設けて取り付けている。また、その上段、および下段に配置されるタイルは、その隙間が上下方向に互い違いになるよう構成されている。出隅用ラップ式タイルには、前記側縁部を有するタイル側端から、タイル厚さ分の距離のリブ部分に凹部８が設けられており、この凹部８を取付けの目印とすることで、出隅用ラップ式タイルの出隅部における寸法調整が容易となる。
【００１８】
図４は、出隅用ラップ式タイル９、およびラップ式タイル７を用いた建築物の出隅部の構成方法を示す斜視図である。ラップ式タイルを取り付ける下地材１０を用いる場合は、ラップ式タイルの係合部に合わさるように突起部を有した下地材に、出隅用ラップ式タイルを取り付けるが、この場合、図４に示すように、側縁部を有するタイル側端から、タイル厚さ分に、下地材の突起部以外の厚さ分を加えた距離のリブ部分に凹部１１が設けられており、この凹部１１を取付けの目印とすることで、出隅用ラップ式タイルの出隅部における寸法調整が容易となる。
【００１９】
図５は、出隅用ラップ式タイル１２、およびラップ式タイル７を用いた建築物の出隅部の構成方法を示す斜視図であり、図６は、出隅用ラップ式タイル１２、およびラップ式タイル７を用いた建築物の出隅部の構成方法を示す断面図である。。この構成における、出隅用ラップ式タイルの長さ方向の寸法は、ラップ式タイルの厚さに、出隅部のもう一方に取り付けられるラップ式タイルの長さと出隅用ラップ式タイルとラップ式タイルとの隙間を加えたものの２分の１を加えたことを特徴としている。この出隅用ラップ式タイルを使用した場合、互い違いに出隅部に取り付けることで、一般部に用いるラップ式タイルを切断することなく、馬踏目地でのタイルの構成が可能となる。
【００２０】
【発明の効果】
本発明は上記の構成とすることにより、以下の効果を発揮する。
下地材上にラップ式タイルを取り付ける場合は、リブ部分に設けられた凹部を取付けの目印とすることで、出隅用ラップ式タイルの出隅部における寸法調整が容易となる。
また、出隅用ラップ式タイルの長さ方向の寸法を、出隅部のもう一方に取り付けられるラップ式タイルの厚さに、ラップ式タイルの長さの２分の１を加えた寸法、またはラップ式タイルの厚さに、ラップ式タイルの長さと出隅用ラップ式タイルとラップ式タイルとの隙間を加えたものの２分の１を加えた寸法にすることにより、一般部に使用するラップ式タイルの切断加工によるロス分の発生を抑えることができ、また、施工性の効率向上により、施工費のコストダウンをはかることが可能となる。
【図面の簡単な説明】
【図１】本発明の一実施例である出隅用ラップ式タイルを背面側から見た斜視図である。
【図２】本発明の一実施例である出隅用ラップ式タイル、およびラップ式タイルを用いた建築物の出隅部の構成方法を示す斜視図である。
【図３】本発明の一実施例である出隅用ラップ式タイル、およびラップ式タイルを用いた建築物の出隅部の構成方法を示す断面図である。
【図４】本発明の他の実施例である出隅用ラップ式タイル、およびラップ式タイルを用いた建築物の出隅部の構成方法を示す斜視図である。
【図５】本発明のさらに他の実施例である出隅用ラップ式タイル、およびラップ式タイルを用いた建築物の出隅部の構成方法を示す斜視図である。
【図６】本発明のさらに他の実施例である出隅用ラップ式タイル、およびラップ式タイルを用いた建築物の出隅部の構成方法を示す断面図である。
【符号の説明】
１…出隅用ラップ式タイル、２…面板部、３…リブ、４…尾部、５…係合部、
６…側縁部、７…ラップ式タイル、８…凹部、９…出隅用ラップ式タイル、
１０…下地材、１１…凹部、１２…出隅用ラップ式タイル
【図１】
2004132135.tif 000003
【図２】
2004132135.tif 000004
【図３】
2004132135.tif 000005
【図４】
2004132135.tif 000006
【図５】
2004132135.tif 000007
【図６】
2004132135.tif 000008